(57)【特許請求の範囲】
【請求項１】
分析対象となる元素を選択するための複数の元素ボタンが配列された選択画面を表示部に表示させる制御を行う選択画面表示制御部と、
ポインティング手段を用いて選択された前記元素ボタンに対応する元素の分析条件情報を記憶部から読み出し、前記分析条件情報を前記元素ボタンよりも拡大されたサブ画像として、前記表示部に表示させる制御を行うサブ画像表示制御部と、
選択された前記元素ボタンに対応する元素および前記分析条件情報を前記記憶部に記憶させる分析条件登録部と、
を含み、
前記ポインティング手段は、タッチパネルであり、
前記サブ画像表示制御部は、
複数の前記分析条件情報に対応して、複数の前記サブ画像を前記表示部に表示させ、
前記ポインティング手段が前記元素ボタンへの接触が一定時間継続したことを検出した場合に、複数の前記サブ画像から１つの前記サブ画像を選択するための操作ボタンを前記表示部に表示させる制御を行い、
前記分析条件登録部は、
前記ポインティング手段が、前記元素ボタンへの接触を検出して前記元素ボタンが選択された状態において、選択された前記元素ボタンにおいてタッチアップ操作が行われたことを検出した場合に、選択された前記元素ボタンに対応する元素、および前記操作ボタンを用いて選択された前記サブ画像の前記分析条件情報を、前記記憶部に記憶させる、画像表示装置。
【請求項２】
分析対象となる元素を選択するための複数の元素ボタンが配列された選択画面を表示部に表示させる制御を行う選択画面表示制御部と、
ポインティング手段を用いて選択された前記元素ボタンに対応する元素の分析条件情報を記憶部から読み出し、前記分析条件情報を前記元素ボタンよりも拡大されたサブ画像として、前記表示部に表示させる制御を行うサブ画像表示制御部と、
選択された前記元素ボタンに対応する元素および前記分析条件情報を前記記憶部に記憶させる分析条件登録部と、
を含み、
前記ポインティング手段は、マウスであり、
前記サブ画像表示制御部は、複数の前記分析条件情報に対応して、複数の前記サブ画像を前記表示部に表示させ、
前記マウスのホイールを回転させることで、複数の前記サブ画像から１つの前記サブ画像を選択可能であり、
前記分析条件登録部は、
前記マウスによって操作されるマウスカーソルが前記元素ボタンに重なって前記元素ボタンが選択された状態において、前記マウスがクリックされた場合に、選択された前記元素ボタンに対応する元素、および前記ホイールを用いて選択された前記サブ画像の前記分析条件情報を、前記記憶部に記憶させる、画像表示装置。
【請求項３】
請求項１または２において、
前記分析条件情報は、分析可能な特性Ｘ線の種類の情報を含む、画像表示装置。
【請求項４】
請求項１ないし３のいずれか１項において、
前記分析条件情報は、定性分析および定量分析での分析条件の情報を含む、画像表示装置。
【請求項５】
請求項１ないし４のいずれか１項において、
前記分析条件情報は、マップ分析において割り当てられた色の情報を含む、画像表示装置。
【請求項６】
請求項１または２において、
前記分析条件情報は、分析可能な特性Ｘ線の種類の情報を含み、
選択された前記元素ボタンに対応する元素、および選択された前記特性Ｘ線の種類の情報に基づいて、定量分析および定性分析を行い、定量分析および定性分析の結果を、前記表示部に表示に表示させる制御を行う分析結果表示制御部を含む、画像表示装置。
【請求項７】
分析対象となる元素を選択するための複数の元素ボタンが配列された選択画面を表示部に表示させる制御を行う選択画面表示制御工程と、
ポインティング手段を用いて選択された前記元素ボタンに対応する元素の分析条件情報を記憶部から読み出し、前記分析条件情報を前記元素ボタンよりも拡大されたサブ画像として、前記表示部に表示させる制御を行うサブ画像表示制御工程と、
選択された前記元素ボタンに対応する元素および前記分析条件情報を前記記憶部に記憶させる分析条件登録工程と、
を含み、
前記ポインティング手段は、タッチパネルであり、
前記サブ画像表示制御工程では、
複数の前記分析条件情報に対応して、複数の前記サブ画像を前記表示部に表示させ、
前記ポインティング手段が前記元素ボタンへの接触が一定時間継続したことを検出した場合に、複数の前記サブ画像から１つの前記サブ画像を選択するための操作ボタンを前記表示部に表示させる制御を行い、
前記分析条件登録工程では、
前記ポインティング手段が、前記元素ボタンへの接触を検出して前記元素ボタンが選択された状態において、選択された前記元素ボタンにおいてタッチアップ操作が行われたことを検出した場合に、選択された前記元素ボタンに対応する元素、および前記操作ボタンを用いて選択された前記サブ画像の前記分析条件情報を、前記記憶部に記憶させる、画像表示方法。
【請求項８】
分析対象となる元素を選択するための複数の元素ボタンが配列された選択画面を表示部に表示させる制御を行う選択画面表示制御工程と、
ポインティング手段を用いて選択された前記元素ボタンに対応する元素の分析条件情報を記憶部から読み出し、前記分析条件情報を前記元素ボタンよりも拡大されたサブ画像として、前記表示部に表示させる制御を行うサブ画像表示制御工程と、
選択された前記元素ボタンに対応する元素および前記分析条件情報を前記記憶部に記憶させる分析条件登録工程と、
を含み、
前記ポインティング手段は、マウスであり、
前記サブ画像表示制御工程では、複数の前記分析条件情報に対応して、複数の前記サブ画像を前記表示部に表示させ、
前記マウスのホイールを回転させることで、複数の前記サブ画像から１つの前記サブ画像を選択可能であり、
前記分析条件登録工程では、
前記マウスによって操作されるマウスカーソルが前記元素ボタンに重なって前記元素ボタンが選択された状態において、前記マウスがクリックされた場合に、選択された前記元素ボタンに対応する元素、および前記ホイールを用いて選択された前記サブ画像の前記分析条件情報を、前記記憶部に記憶させる、画像表示方法。
【請求項９】
請求項７または８において、
前記分析条件情報は、分析可能な特性Ｘ線の種類の情報を含む、画像表示方法。
【請求項１０】
請求項７ないし９のいずれか１項において、
前記分析条件情報は、定性分析および定量分析での分析条件の情報を含む、画像表示方法。
【請求項１１】
請求項７ないし１０のいずれか１項において、
前記分析条件情報は、マップ分析において各元素に割り当てられた色の情報を含む、画像表示方法。
【請求項１２】
請求項７または８において、
前記分析条件情報は、分析可能な特性Ｘ線の種類の情報を含み、
選択された前記元素ボタンに対応する元素、および選択された前記特性Ｘ線の種類の情報に基づいて、定量分析および定性分析を行い、定量分析および定性分析の結果を、前記表示部に表示に表示させる制御を行う分析結果表示制御工程を含む、画像表示方法。
【請求項１３】
分析対象となる元素を選択するための複数の元素ボタンが配列された選択画面を表示部に表示させる制御を行う選択画面表示制御部と、
ポインティング手段を用いて選択された前記元素ボタンに対応する元素の分析条件情報を記憶部から読み出し、前記分析条件情報を前記元素ボタンよりも拡大されたサブ画像として、前記表示部に表示させる制御を行うサブ画像表示制御部と、
選択された前記元素ボタンに対応する元素および前記分析条件情報を前記記憶部に記憶させる分析条件登録部と、してコンピューターを機能させ、
前記ポインティング手段は、タッチパネルであり、
前記サブ画像表示制御部は、
複数の前記分析条件情報に対応して、複数の前記サブ画像を前記表示部に表示させ、
前記ポインティング手段が前記元素ボタンへの接触が一定時間継続したことを検出した場合に、複数の前記サブ画像から１つの前記サブ画像を選択するための操作ボタンを前記表示部に表示させる制御を行い、
前記分析条件登録部は、
前記ポインティング手段が、前記元素ボタンへの接触を検出して前記元素ボタンが選択された状態において、選択された前記元素ボタンにおいてタッチアップ操作が行われたことを検出した場合に、選択された前記元素ボタンに対応する元素、および前記操作ボタンを用いて選択された前記サブ画像の前記分析条件情報を、前記記憶部に記憶させる、プログラム。
【請求項１４】
分析対象となる元素を選択するための複数の元素ボタンが配列された選択画面を表示部に表示させる制御を行う選択画面表示制御部と、
ポインティング手段を用いて選択された前記元素ボタンに対応する元素の分析条件情報を記憶部から読み出し、前記分析条件情報を前記元素ボタンよりも拡大されたサブ画像として、前記表示部に表示させる制御を行うサブ画像表示制御部と、
選択された前記元素ボタンに対応する元素および前記分析条件情報を前記記憶部に記憶させる分析条件登録部と、してコンピューターを機能させ、
前記ポインティング手段は、マウスであり、
前記サブ画像表示制御部は、複数の前記分析条件情報に対応して、複数の前記サブ画像を前記表示部に表示させ、
前記マウスのホイールを回転させることで、複数の前記サブ画像から１つの前記サブ画像を選択可能であり、
前記分析条件登録部は、
前記マウスによって操作されるマウスカーソルが前記元素ボタンに重なって前記元素ボタンが選択された状態において、前記マウスがクリックされた場合に、選択された前記元素ボタンに対応する元素、および前記ホイールを用いて選択された前記サブ画像の前記分析条件情報を、前記記憶部に記憶させる、プログラム。
【発明の詳細な説明】
【技術分野】
【０００１】
本発明は、画像表示装置、画像表示方法、およびプログラムに関する。
【背景技術】
【０００２】
エネルギー分散型Ｘ線分析装置（ｅｎｅｒｇｙ  ｄｉｓｐｅｒｓｉｖｅ  Ｘ−ｒａｙ  ｓｐｅｃｔｒｏｍｅｔｅｒ、ＥＤＳ）が搭載された電子顕微鏡や、波長分散型Ｘ線分析装置（ｗａｖｅｌｅｎｇｔｈ−ｄｉｓｐｅｒｓｉｖｅ  Ｘ−ｒａｙ  ｓｐｅｃｔｒｏｍｅｔｅｒ、ＷＤＳ）が搭載された電子顕微鏡、蛍光Ｘ線分析装置等では、得られたスペクトルから定性分析や定量分析等を行うことができる。定量分析や定性分析を行う場合、ユーザーがこれらの分析装置で得られたスペクトルの形状を確認し、分析対象となる元素やその元素の分析条件を指定して分析を行うことが可能である。
【０００３】
近年、このような分析条件の選択を行うために、ＧＵＩ（グラフィカルユーザインタフェース）が用いられている。例えば、特許文献１に記載の波長分散型Ｘ線分析装置では、複数の分光素子がそれぞれ表示されたボタンを縦に配列した分光素子選択部と、分光素子が分光可能な元素をそれぞれ表示する複数のボタンを周期表に沿って配列された元素選択部と、を備えた分析条件選択画面を表示装置に表示させ、マウスやキーボード等の入力装置によって前記ボタンを選択することで、所望の分光素子および元素を選択可能にしている。
【先行技術文献】
【特許文献】
【０００４】
【特許文献１】特開２０１０−２４９６８８号公報
【発明の概要】
【発明が解決しようとする課題】
【０００５】
図１１および図１２は、従来の選択画面（ＧＵＩ）１Ａの一例を示す図である。選択画面１Ａは、Ｘ線分析で利用する元素を選択するための画面である。選択画面１Ａでは、図１１に示すように、複数の元素ボタン２Ａが、周期表に沿って配列されている。
【０００６】
図１２に示すように、ユーザーが選択画面１ＡにおいてＸ線分析で利用する元素に対応する元素ボタン２ＡをマウスカーソルＣでクリックすると、分析対象となる元素が選択される。
【０００７】
また、Ｘ線分析で利用する元素ライン（特性Ｘ線の種類、Ｋ線、Ｌ線、Ｍ線等）を選択する場合には、例えば、あらかじめ元素ラインを選択して選択画面１Ａで元素を選択する方法と、選択画面１Ａで元素を指定した後に元素ラインを選択する方法と、がある。
【０００８】
しかしながら、上記のような選択画面では、分析対象となる元素が周期表に沿って配置されているため、元素ボタンの数が多く、元素ボタンが小さく表示されてしまう場合が多い。そのため、ユーザーが誤って元素ボタンを選択してしまう場合がある。特に、タッチパネルでの入力では、元素ボタンが小さくて所望の元素ボタンを正確に押せない、押している元素ボタンが指先やタッチペンで隠れて見えない、といった理由で誤選択が増加する。
【０００９】
このような問題に対して、タッチパネルでの入力に対応するために元素ボタンを大きくすることも考えられるが、元素ボタンを大きくすると、表示領域の多くを占有してしまう
。
【００１０】
本発明は、以上のような問題点に鑑みてなされたものであり、本発明のいくつかの態様によれば、ユーザーに分析対象となる元素の分析条件を把握させ易くすることが可能な画像表示装置、画像表示方法、およびプログラムを提供することができる。
【課題を解決するための手段】
【００１１】
（１）本発明に係る画像表示装置は、
分析対象となる元素を選択するための複数の元素ボタンが配列された選択画面を表示部に表示させる制御を行う選択画面表示制御部と、
ポインティング手段を用いて選択された前記元素ボタンに対応する元素の分析条件情報を記憶部から読み出し、前記分析条件情報を前記元素ボタンよりも拡大されたサブ画像として、前記表示部に表示させる制御を行うサブ画像表示制御部と、
選択された前記元素ボタンに対応する元素および前記分析条件情報を記憶部に記憶させる分析条件登録部と、
を含み、
前記ポインティング手段は、タッチパネルであり、
前記サブ画像表示制御部は、
複数の前記分析条件情報に対応して、複数の前記サブ画像を前記表示部に表示させ、
前記ポインティング手段が前記元素ボタンへの接触が一定時間継続したことを検出した場合に、複数の前記サブ画像から１つの前記サブ画像を選択するための操作ボタンを前記表示部に表示させる制御を行い、
前記分析条件登録部は、
前記ポインティング手段が、前記元素ボタンへの接触を検出して前記元素ボタンが選択された状態において、選択された前記元素ボタンにおいてタッチアップ操作が行われたことを検出した場合に、選択された前記元素ボタンに対応する元素、および前記操作ボタンを用いて選択された前記サブ画像の前記分析条件情報を、前記記憶部に記憶させる。
（２）本発明に係る画像表示装置は、
分析対象となる元素を選択するための複数の元素ボタンが配列された選択画面を表示部に表示させる制御を行う選択画面表示制御部と、
ポインティング手段を用いて選択された前記元素ボタンに対応する元素の分析条件情報を記憶部から読み出し、前記分析条件情報を前記元素ボタンよりも拡大されたサブ画像として、前記表示部に表示させる制御を行うサブ画像表示制御部と、
選択された前記元素ボタンに対応する元素および前記分析条件情報を前記記憶部に記憶させる分析条件登録部と、
を含み、
前記ポインティング手段は、マウスであり、
前記サブ画像表示制御部は、複数の前記分析条件情報に対応して、複数の前記サブ画像を前記表示部に表示させ、
前記マウスのホイールを回転させることで、複数の前記サブ画像から１つの前記サブ画像を選択可能であり、
前記分析条件登録部は、
前記マウスによって操作されるマウスカーソルが前記元素ボタンに重なって前記元素ボタンが選択された状態において、前記マウスがクリックされた場合に、選択された前記元素ボタンに対応する元素、および前記ホイールを用いて選択された前記サブ画像の前記分析条件情報を、前記記憶部に記憶させる。
【００１２】
このような画像表示装置では、元素の分析条件の指定や確認を行う際に、元素の分析条件を拡大して表示部に表示させることができる。これにより、ユーザーに分析対象となる元素の分析条件を把握させ易くすることができる。
【００１３】
（３）本発明に係る画像表示装置において、
前記分析条件情報は、分析可能な特性Ｘ線の種類の情報を含んでいてもよい。
【００１４】
このような画像表示装置では、ユーザーに分析対象となる元素の分析可能な特性Ｘ線の種類を把握させ易くすることができる。
【００１５】
（４）本発明に係る画像表示装置において、
前記分析条件情報は、定性分析および定量分析での分析条件の情報を含んでいてもよい。
【００１６】
このような画像表示装置では、ユーザーに分析対象となる元素の定性分析および定量分析での分析条件を把握させ易くすることができる。
【００１７】
（５）本発明に係る画像表示装置において、
前記分析条件情報は、マップ分析において割り当てられた色の情報を含んでいてもよい。
【００１８】
このような画像表示装置では、ユーザーに分析対象となる元素の、マップ分析において割り当てられた色を把握させ易くすることができる。
【００１９】
（６）本発明に係る画像表示装置において、
前記分析条件情報は、分析可能な特性Ｘ線の種類の情報を含み、
選択された前記元素ボタンに対応する元素、および選択された前記特性Ｘ線の種類の情報に基づいて、定量分析および定性分析を行い、定量分析および定性分析の結果を、前記表示部に表示に表示させる制御を行う分析結果表示制御部を含んでいてもよい。
【００２４】
（７）本発明に係る画像表示方法は、
分析対象となる元素を選択するための複数の元素ボタンが配列された選択画面を表示部に表示させる制御を行う選択画面表示制御工程と、
ポインティング手段を用いて選択された前記元素ボタンに対応する元素の分析条件情報を記憶部から読み出し、前記分析条件情報を前記元素ボタンよりも拡大されたサブ画像として、前記表示部に表示させる制御を行うサブ画像表示制御工程と、
選択された前記元素ボタンに対応する元素および前記分析条件情報を前記記憶部に記憶させる分析条件登録工程と、
を含み、
前記ポインティング手段は、タッチパネルであり、
前記サブ画像表示制御工程では、
複数の前記分析条件情報に対応して、複数の前記サブ画像を前記表示部に表示させ、
前記ポインティング手段が前記元素ボタンへの接触が一定時間継続したことを検出した場合に、複数の前記サブ画像から１つの前記サブ画像を選択するための操作ボタンを前記表示部に表示させる制御を行い、
前記分析条件登録工程では、
前記ポインティング手段が、前記元素ボタンへの接触を検出して前記元素ボタンが選択された状態において、選択された前記元素ボタンにおいてタッチアップ操作が行われたことを検出した場合に、選択された前記元素ボタンに対応する元素、および前記操作ボタンを用いて選択された前記サブ画像の前記分析条件情報を、前記記憶部に記憶させる。
（８）本発明に係る画像表示方法は、
分析対象となる元素を選択するための複数の元素ボタンが配列された選択画面を表示部に表示させる制御を行う選択画面表示制御工程と、
ポインティング手段を用いて選択された前記元素ボタンに対応する元素の分析条件情報を記憶部から読み出し、前記分析条件情報を前記元素ボタンよりも拡大されたサブ画像として、前記表示部に表示させる制御を行うサブ画像表示制御工程と、
選択された前記元素ボタンに対応する元素および前記分析条件情報を前記記憶部に記憶させる分析条件登録工程と、
を含み、
前記ポインティング手段は、マウスであり、
前記サブ画像表示制御工程では、複数の前記分析条件情報に対応して、複数の前記サブ画像を前記表示部に表示させ、
前記マウスのホイールを回転させることで、複数の前記サブ画像から１つの前記サブ画像を選択可能であり、
前記分析条件登録工程では、
前記マウスによって操作されるマウスカーソルが前記元素ボタンに重なって前記元素ボタンが選択された状態において、前記マウスがクリックされた場合に、選択された前記元素ボタンに対応する元素、および前記ホイールを用いて選択された前記サブ画像の前記分析条件情報を、前記記憶部に記憶させる。
【００２５】
このような画像表示方法では、元素の分析条件の指定や確認を行う際に、元素の分析条件を拡大して表示部に表示させることができる。これにより、ユーザーに分析対象となる元素の分析条件を把握させ易くすることができる。
【００２６】
（９）本発明に係る画像表示方法において、
前記分析条件情報は、分析可能な特性Ｘ線の種類の情報を含んでいてもよい。
【００２７】
（１０）本発明に係る画像表示方法において、
前記分析条件情報は、定性分析および定量分析での分析条件の情報を含んでいてもよい。
【００２８】
（１１）本発明に係る画像表示方法において、
前記分析条件情報は、マップ分析において各元素に割り当てられた色の情報を含んでいてもよい。
【００２９】
（１２）本発明に係る画像表示方法において、
前記分析条件情報は、分析可能な特性Ｘ線の種類の情報を含み、
選択された前記元素ボタンに対応する元素、および選択された前記特性Ｘ線の種類の情報に基づいて、定量分析および定性分析を行い、定量分析および定性分析の結果を、前記表示部に表示に表示させる制御を行う分析結果表示制御工程を含んでいてもよい。
【００３２】
（１３）本発明に係るプログラムは、
分析対象となる元素を選択するための複数の元素ボタンが配列された選択画面を表示部に表示させる制御を行う選択画面表示制御部と、
ポインティング手段を用いて選択された前記元素ボタンに対応する元素の分析条件情報を記憶部から読み出し、前記分析条件情報を前記元素ボタンよりも拡大されたサブ画像として、前記表示部に表示させる制御を行うサブ画像表示制御部と、
選択された前記元素ボタンに対応する元素および前記分析条件情報を前記記憶部に記憶させる分析条件登録部と、してコンピューターを機能させ、
前記ポインティング手段は、タッチパネルであり、
前記サブ画像表示制御部は、
複数の前記分析条件情報に対応して、複数の前記サブ画像を前記表示部に表示させ、
前記ポインティング手段が前記元素ボタンへの接触が一定時間継続したことを検出した場合に、複数の前記サブ画像から１つの前記サブ画像を選択するための操作ボタンを前記表示部に表示させる制御を行い、
前記分析条件登録部は、
前記ポインティング手段が、前記元素ボタンへの接触を検出して前記元素ボタンが選択された状態において、選択された前記元素ボタンにおいてタッチアップ操作が行われたことを検出した場合に、選択された前記元素ボタンに対応する元素、および前記操作ボタンを用いて選択された前記サブ画像の前記分析条件情報を、前記記憶部に記憶させる。
（１４）本発明に係るプログラムは、
分析対象となる元素を選択するための複数の元素ボタンが配列された選択画面を表示部に表示させる制御を行う選択画面表示制御部と、
ポインティング手段を用いて選択された前記元素ボタンに対応する元素の分析条件情報を記憶部から読み出し、前記分析条件情報を前記元素ボタンよりも拡大されたサブ画像として、前記表示部に表示させる制御を行うサブ画像表示制御部と、
選択された前記元素ボタンに対応する元素および前記分析条件情報を前記記憶部に記憶させる分析条件登録部と、してコンピューターを機能させ、
前記ポインティング手段は、マウスであり、
前記サブ画像表示制御部は、複数の前記分析条件情報に対応して、複数の前記サブ画像を前記表示部に表示させ、
前記マウスのホイールを回転させることで、複数の前記サブ画像から１つの前記サブ画像を選択可能であり、
前記分析条件登録部は、
前記マウスによって操作されるマウスカーソルが前記元素ボタンに重なって前記元素ボタンが選択された状態において、前記マウスがクリックされた場合に、選択された前記元素ボタンに対応する元素、および前記ホイールを用いて選択された前記サブ画像の前記分析条件情報を、前記記憶部に記憶させる。
【００３３】
これによれば、元素の分析条件の指定や確認を行う際に、元素の分析条件を拡大して表
示部に表示させることができる。これにより、ユーザーに分析対象となる元素の分析条件を把握させ易くすることができる。
【図面の簡単な説明】
【００３４】
【図１】本実施形態に係る画像表示装置を含む分析システムの機能ブロック図の一例を示す図。
【図２】タッチパネルディスプレイの表示部に表示される選択画面の一例を示す図。
【図３】タッチパネルディスプレイの表示部に表示される選択画面の一例を示す図。
【図４】タッチパネルディスプレイの表示部に表示される選択画面の一例を示す図。
【図５】タッチパネルディスプレイの表示部に表示される選択画面の一例を示す図。
【図６】タッチパネルディスプレイの表示部に表示される選択画面の一例を示す図。
【図７】本実施形態に係る画像表示装置の処理の一例を示すフローチャート。
【図８】タッチパネルディスプレイの表示部に表示される選択画面の一例を示す図。
【図９】タッチパネルディスプレイの表示部に表示される選択画面の一例を示す図。
【図１０】第３変形例に係る画像表示装置を含む分析システムの機能ブロック図の一例を示す図。
【図１１】従来の選択画面の一例を示す図。
【図１２】従来の選択画面の一例を示す図。
【発明を実施するための形態】
【００３５】
以下、本発明の好適な実施形態について図面を用いて詳細に説明する。なお、以下に説明する実施形態は、特許請求の範囲に記載された本発明の内容を不当に限定するものではない。また、以下で説明される構成の全てが本発明の必須構成要件であるとは限らない。
【００３６】
１．  画像表示装置
まず、本実施形態に係る画像表示装置について、図面を参照しながら説明する。図１は、本実施形態に係る画像表示装置１００を含む分析システム１０００の機能ブロック図の一例を示す図である。
【００３７】
分析システム１０００は、画像表示装置１００と、分析装置１０１と、を含む。
【００３８】
分析装置１０１は、例えば、エネルギー分散型Ｘ線分析装置（ＥＤＳ）が搭載された電子顕微鏡、波長分散型Ｘ線分析装置（ＷＤＳ）が搭載された電子顕微鏡、蛍光Ｘ線分析装置等の分析装置である。以下では、分析装置１０１が、エネルギー分散型Ｘ線分析装置（ＥＤＳ）が搭載された電子顕微鏡である例について説明する。
【００３９】
画像表示装置１００では、分析装置１０１で得られた測定結果（スペクトル等）を受け取り、当該測定結果から定性分析や定量分析等を行う際に、分析対象となる元素や、その元素の分析条件を示す画像を表示部３０に表示させることができる。また、画像表示装置１００では、例えば、分析結果を表示部３０に表示させたり、ユーザーによって指定された分析条件を記憶部４０に記憶させたりすることもできる。
【００４０】
画像表示装置１００は、処理部１０と、タッチパネル２０と、表示部３０と、記憶部４０と、情報記憶媒体５０と、を含む。
【００４１】
タッチパネル（ポインティング手段の一例）２０は、ユーザーが操作情報を入力するためのものであり、入力された操作情報を処理部１０に出力する。タッチパネル２０は、タッチパネルに対する接触操作（指定操作）によって入力された入力情報を処理部１０に出力する。タッチパネル方式としては、抵抗膜方式（４線式、５線式）、静電容量結合方式、超音波表面弾性波方式、赤外線走査方式などがある。タッチパネル２０は、表示部３０
の表示領域に設けられ、表示部３０とともにタッチパネルディスプレイを構成する。タッチパネル２０への接触操作は、指先を用いて行ってもよいし、タッチペンなどを用いて行ってもよい。
【００４２】
表示部３０は、処理部１０によって生成された画像を表示するものであり、その機能は、ＬＣＤ、ＣＲＴ、タッチパネル２０を備えたタッチパネルディスプレイなどにより実現できる。
【００４３】
記憶部４０は、処理部１０のワーク領域となるものであり、その機能はＲＡＭなどにより実現できる。情報記憶媒体５０（コンピューターにより読み取り可能な媒体）は、プログラムやデータなどを格納するものであり、その機能は、光ディスク（ＣＤ，ＤＶＤ）、光磁気ディスク（ＭＯ）、磁気ディスク、ハードディスク、磁気テープ、あるいはメモリ（ＲＯＭ）などにより実現できる。処理部１０は、情報記憶媒体５０に格納されるプログラム（データ）に基づいて本実施形態の種々の処理を行う。情報記憶媒体５０には、処理部１０の各部としてコンピューターを機能させるためのプログラムを記憶することができる。
【００４４】
記憶部４０には、各元素ごとの分析条件の情報が記憶されている。例えば、記憶部４０には、各元素ごとに定量分析可能な特性Ｘ線の種類（Ｋ線、Ｌ線、Ｍ線など）の情報が記憶されている。
【００４５】
処理部１０は、分析対象となる元素を選択するための選択画面を表示部３０に表示する制御を行う処理や、タッチパネル２０を用いて（タッチパネル２０を用いた入力により）選択された元素ボタンに対応する元素の分析条件情報を元素ボタンよりも拡大されたサブ画像（アイコン）として表示部３０に表示させる処理、タッチパネル２０を用いて選択された分析条件情報を記憶部４０に記憶させる処理、分析装置１０１の測定結果の分析を行う処理などの処理を行う。処理部１０の機能は、各種プロセッサ（ＣＰＵ、ＤＳＰ等）、ＡＳＩＣ（ゲートアレイ等）などのハードウェアや、プログラムにより実現できる。処理部１０は、選択画面表示制御部１２と、サブ画像表示制御部１４と、分析条件登録部１６と、分析結果表示制御部１８と、を含む。
【００４６】
選択画面表示制御部１２は、分析対象となる元素を選択するための複数の元素ボタンが配列された選択画面を表示部３０に表示させる制御を行う。
【００４７】
サブ画像表示制御部１４は、タッチパネル２０を用いて選択された元素ボタンに対応する元素の分析条件情報を記憶部４０から読み出し、当該分析条件情報を元素ボタンよりも拡大されたサブ画像（アイコン）として、表示部３０に表示させる制御を行う。元素の分析条件情報は、例えば、定量分析可能な特性Ｘ線の種類（Ｋ線、Ｌ線等）の情報である。
【００４８】
また、サブ画像表示制御部１４は、複数のサブ画像を切り替えるための操作ボタン（サブ画像切り替えボタン）を表示部３０に表示させる制御を行ってもよい。
【００４９】
分析条件登録部１６は、タッチパネル２０を用いて選択された分析条件情報（サブ画像に表示された分析条件情報）を記憶部４０に記憶させる処理を行う。これにより、ユーザーによって指定された分析条件を記憶部４０に記憶させることができる。
【００５０】
分析結果表示制御部１８は、分析装置１０１の測定結果（ＥＤＳスペクトルやＥＤＳマップ分析結果等）を表示部３０に表示させる制御を行う。また、分析結果表示制御部１８は、例えば、分析装置１０１の測定結果に対する分析（定量分析、定性分析等）を行い、その結果を表示部３０に表示させる制御を行う。分析結果表示制御部１８は、分析条件登
録部１６によって記憶部４０に記憶された分析条件情報を読み出し、当該分析条件情報に基づき分析を行う。
【００５１】
２．  本実施形態の手法
次に、本実施形態の手法について図面を用いて説明する。
【００５２】
図２〜図６は、タッチパネルディスプレイ（タッチパネル２０を備えた表示部３０）の表示部３０に表示される選択画面（ＧＵＩ：グラフィカルユーザーインタフェース）１の一例を示す図である。
【００５３】
選択画面１には、図２に示すように、分析対象となる元素を選択するための複数の元素ボタン２が配列されている。複数の元素ボタン２は、周期表に沿って配列される。
【００５４】
図２に示すように、ユーザーが指先ＦＧ（タッチペン等でもよい）を元素ボタン２に接触させる操作を行うことで、元素ボタン２が選択される。元素ボタン２が選択されると、選択された元素ボタン２に対応する元素の、定量分析に利用可能な特性Ｘ線の種類の情報が、サブ画像（アイコン）４に表示される。サブ画像４は、選択画面１上の選択された元素ボタン２の近傍に表示される。サブ画像４には、特性Ｘ線の種類の情報が元素ボタン２よりも拡大されて表示される。また、利用可能な特性Ｘ線の種類が複数ある場合、複数のサブ画像４が表示される。すなわち、特性Ｘ線の種類ごとに、サブ画像４が表示される。複数のサブ画像４は、少なくとも一部が重なるように表示される。これにより、表示領域を節約することができる。
【００５５】
図２に示す例では、ユーザーが指先ＦＧをＦｅの元素ボタン２に接触させる操作を行うことで、Ｆｅの元素ボタン２が選択され、Ｆｅの定量分析に利用可能な「Ｆｅ−Ｋ線」、「Ｆｅ−Ｌ線」がそれぞれサブ画像４に表示される。なお、元素の選択操作を中断する場合は、指先ＦＧを選択画面１に接触させたまま、元素ボタン２の表示領域外へ移動させる。このような操作を行うことでサブ画像４は消去され、元素の選択操作は中断される。
【００５６】
図３に示すように、ユーザーが指先ＦＧを選択画面１に接触させたまま移動させる操作を行うと、移動させている間はその位置に対応した元素ボタン２が順次選択され、選択された元素ボタン２に対応する元素の、定量分析に利用可能な特性Ｘ線の種類の情報が、サブ画像４に順次表示される。
【００５７】
図３に示す例では、ユーザーが指先ＦＧを接触させた状態でＦｅの元素ボタン２からＺｎの元素ボタン２まで移動させる操作を行うことで、Ｆｅ、Ｃｏ、Ｎｉ、Ｃｕ、Ｚｎの定量分析に利用可能な特性Ｘ線の種類が順次サブ画像４に表示される。
【００５８】
図４に示すように、元素ボタン２が選択されて複数のサブ画像４が表示されている状態で、ユーザーが指先ＦＧを選択されている元素ボタン２に一定時間接触させ続けることで、操作ボタン６が表示される。
【００５９】
そして、図４および図５に示すように、ユーザーが指先ＦＧを操作ボタン６に接触させる操作を行うことで、重なって表示されている複数のサブ画像４の重なり順が変わり、手前側（最上面）に表示されていたサブ画像４を他のサブ画像４に切り替えることができる。
【００６０】
図４に示す例では、Ｆｅの元素ボタン２が選択されてＦｅの定量分析に利用可能な「Ｆｅ−Ｋ線」、「Ｆｅ−Ｌ線」がそれぞれサブ画像４に表示されている状態で、ユーザーが指先ＦＧをＦｅの元素ボタン２に一定時間接触させ続けることで、操作ボタン６が表示さ
れる。そして、ユーザーが指先ＦＧを操作ボタン６に接触させる操作を行うことで、図４に示す「Ｆｅ−Ｋ線」が表示されているサブ画像４が手前側（最上面）にあり「Ｆｅ−Ｌ線」が表示されているサブ画像４が後側にある状態から、図５に示す「Ｆｅ−Ｋ線」が表示されているサブ画像４が手前側にあり「Ｆｅ−Ｌ線」が表示されているサブ画像４が後側にある状態に切り替わる。そして、再び、ユーザーが指先ＦＧを操作ボタン６に接触させる操作を行うことで、図５に示す状態から、図４に示す状態へと切り替わる。
【００６１】
選択画面１では、サブ画像４が表示されている状態で、ユーザーが指先ＦＧを選択されていた元素ボタン２から離す操作（タッチアップ）を行うことで、当該選択されていた元素ボタン２に対応する元素と、最も手前側（最上面）のサブ画像４に表示されていた特性Ｘ線（元素ライン）と、が指定される。このように画像表示装置１００では、元素の指定と、元素ラインの指定と、を同時に行うことができる。そのため、元素および元素ラインの指定を行うための操作回数を減らすことができる。
【００６２】
例えば、図４に示す状態でタッチアップされた場合には、Ｆｅと、Ｆｅ−Ｋ線と、が指定され、図５に示す状態でタッチアップされた場合には、Ｆｅと、Ｆｅ−Ｌ線と、が指定される。
【００６３】
そして、図６に示すように、ユーザーが指先ＦＧを指定済みの元素に対応する元素ボタン２に接触させる操作を行うことで、指定された特性Ｘ線（元素ライン）がサブ画像４に表示される。このように画像表示装置１００では、ユーザーが利用している元素ラインを容易に認識することができる。
【００６４】
図６に示す例では、ユーザーが指先ＦＧを指定済みのＣｕの元素ボタン２に接触させる操作を行うことで、指定された特性Ｘ線の種類である「Ｃｕ−Ｌ線」がサブ画像４に表示される。
【００６５】
３．  処理
次に、本実施形態に係る画像表示装置１００の処理の一例について説明する。図７は、本実施形態に係る画像表示装置１００の処理の一例を示すフローチャートである。
【００６６】
まず、選択画面表示制御部１２は、分析対象となる元素を選択するための複数の元素ボタン２が配列された選択画面１を表示部３０に表示させる制御を行う（ステップＳ１００）。
【００６７】
次に、処理部１０は、ユーザーによって選択画面１の元素ボタン２が選択されたか否かを判断する（ステップＳ１０２）。処理部１０は、タッチパネル２０によって元素ボタン２への接触が検出された場合（接触操作が行われた場合）に、元素ボタン２が選択されたと判断する。
【００６８】
元素ボタン２が選択されたと判断された場合（ステップＳ１０２の「Ｙ」）、サブ画像表示制御部１４は、選択された元素ボタン２に対応する元素の分析条件情報（分析可能な特性Ｘ線の種類の情報）を記憶部４０から読み出す。そして、サブ画像表示制御部１４は、記憶部４０から読み出した分析条件情報を、元素ボタン２よりも拡大したサブ画像４として表示部３０に表示させる制御を行う（ステップＳ１０４）。
【００６９】
次に、処理部１０は、ユーザーによって元素ボタン２の表示領域外が選択されたか否かを判断する処理を行う（ステップＳ１０５）。処理部１０は、タッチパネル２０によって元素ボタン２の表示領域外への接触が検出された場合に、元素ボタン２の表示領域外が選択されたと判断する。元素ボタン２の表示領域外が選択されたと判断された場合（ステッ
プＳ１０５の「Ｙ」）、サブ画像表示制御部１４は、表示中のサブ画像を消去し（ステップＳ１０７）、新たな元素ボタン２の選択を待つ（ステップＳ１０２）。
【００７０】
一方、元素ボタン２の表示領域外が選択されていないと判断された場合（ステップＳ１０５の「Ｎ」）、処理部１０は、ユーザーによって、選択状態にある元素ボタン２とは異なる他の元素ボタン２が選択されたか否かを判断する処理を行う（ステップＳ１０６）。処理部１０は、タッチパネル２０によって他の元素ボタン２への接触が検出された場合に、他の元素ボタン２が選択されたと判断する。
【００７１】
他の元素ボタン２が選択されたと判断された場合（ステップＳ１０６の「Ｙ」）、サブ画像表示制御部１４は、ユーザーによって選択された元素ボタン２（他の元素ボタン２）に対応する元素の分析条件情報を表示部３０に表示させる制御を行う（ステップＳ１０４）。
【００７２】
一方、他の元素ボタン２が選択されていないと判断された場合（ステップＳ１０６の「Ｎ」）、処理部１０は、ユーザーによって特定の元素ボタン２への指先ＦＧの接触が一定時間継続したか否かを判断する処理を行う（ステップＳ１０８）。
【００７３】
特定の元素ボタン２への指先ＦＧの接触が一定時間継続したと判断された場合（ステップＳ１０８の「Ｙ」）、サブ画像表示制御部１４は、操作ボタン６を表示部３０に表示させる制御を行う（ステップＳ１１０）。
【００７４】
次に、処理部１０は、ユーザーによって操作ボタン６が選択されたか否かの判断を行う（ステップＳ１１２）。処理部１０は、タッチパネル２０によって操作ボタン６への接触が検出された場合には、操作ボタン６が選択されたと判断する。操作ボタン６が選択されたと判断された場合（ステップＳ１１２の「Ｙ」）、サブ画像表示制御部１４は、重なって表示されている複数のサブ画像４の重なり順を変えて、手前側に表示されていたサブ画像４を他のサブ画像４に切り替えて表示部３０に表示させる制御を行う（ステップＳ１１４）。
【００７５】
サブ画像４を切り替えて表示部３０に表示させる制御が行われた後（ステップＳ１１４）、特定の元素ボタン２への指先ＦＧの接触が一定時間継続していないと判断された場合（ステップＳ１０８の「Ｎ」）、および操作ボタン６が選択されなかったと判断された場合（ステップＳ１１２の「Ｎ」）、処理部１０は、ユーザーによって選択状態にある元素ボタン２の選択が解除されたか否かの判断を行う（ステップＳ１１６）。処理部１０は、タッチパネル２０によって選択状態にある元素ボタン２への接触が検出されなくなった場合に、選択が解除されたと判断する。
【００７６】
選択が解除されていないと判断された場合（ステップＳ１１６の「Ｎ」）、上述したステップＳ１０５に戻って、ステップＳ１０５、Ｓ１０６、Ｓ１０８、Ｓ１１０、Ｓ１１２、Ｓ１１４、Ｓ１１６の処理が行われる。
【００７７】
選択が解除されたと判断された場合（ステップＳ１１６の「Ｙ」）、分析条件登録部１６は、タッチパネル２０を用いて選択された分析条件情報を記憶部４０に記憶させる処理を行う（ステップＳ１１８）。すなわち、分析条件登録部１６は、選択状態にあった元素ボタン２に対応する元素の情報と、最も手前側（最上面）のサブ画像４に表示されていた特性Ｘ線（元素ライン）の情報と、を記憶部４０に記憶させる。
【００７８】
そして、このようにして記憶部４０に記憶された分析条件情報を、分析結果表示制御部１８が読み出し、この分析条件に基づいて分析装置１０１の測定結果の分析（定量分析、
定性分析等）を行う。分析結果表示制御部１８は、分析結果を表示部３０に表示させる制御を行う。
【００７９】
画像表示装置１００は、例えば、以下の特長を有する。
【００８０】
画像表示装置１００では、選択画面表示制御部１２が分析対象となる元素を選択するための複数の元素ボタン２が配列された選択画面１を表示部３０に表示させる制御を行い、サブ画像表示制御部１４がタッチパネル２０を用いて選択された元素ボタン２に対応する元素の分析条件情報を記憶部４０から読み出し、分析条件情報を元素ボタン２よりも拡大されたサブ画像４として、表示部３０に表示させる制御を行う。そのため、元素の分析条件の指定や確認を行う際に、元素の分析条件を拡大して表示部３０に表示させることができる。これにより、ユーザーに分析対象となる元素の分析条件を把握させ易くすることができる。したがって、画像表示装置１００によれば、ユーザーの誤指定を減少させることができる。さらに、選択画面１が表示させる領域を小さくしても入力が容易であるため、選択画面１を小さくして表示領域を節約することができる。さらに、タッチパネル２０を備えた表示部３０において、元素ボタンが小さくて所望の元素ボタンを正確に押せない、押している元素ボタンが指先やタッチペンで隠れて見えない、といった問題を解消することができる。
【００８１】
画像表示装置１００では、サブ画像表示制御部１４が複数の分析条件情報を複数のサブ画像４に表示させる。また、画像表示装置１００では、複数のサブ画像４の少なくとも一部が重なるように表示部３０に表示させる。これにより、表示領域を節約することができる。
【００８２】
画像表示装置１００では、分析条件登録部１６がタッチパネル２０により選択された分析条件情報を記憶部４０に記憶させる。そのため、画像表示装置１００では、元素の分析条件情報の確認と、元素の分析条件の指定（記録）と、を行うことができる。
【００８３】
本実施形態に係る画像表示方法では、分析対象となる元素を選択するための複数の元素ボタン２が配列された選択画面１を表示部３０に表示させる制御を行う工程（選択画面表示制御工程、ステップＳ１００）と、タッチパネル２０を用いて選択された元素ボタン２に対応する元素の分析条件情報を記憶部４０から読み出し、分析条件情報を元素ボタン２よりも拡大されたサブ画像４として、表示部３０に表示させる制御を行う工程（サブ画像表示制御工程、ステップＳ１０４）と、を含む。そのため、上述したように、ユーザーに分析対象となる元素の分析条件を把握させ易くすることができる。
【００８４】
また、本実施形態に係るプログラムでは、分析対象となる元素を選択するための複数の元素ボタンが配列された選択画面１を表示部３０に表示させる制御を行う選択画面表示制御部１２と、タッチパネル２０を用いて選択された元素ボタン２に対応する元素の分析条件情報を記憶部４０から読み出し、分析条件情報を元素ボタン２よりも拡大されたサブ画像４として、表示部３０に表示させる制御を行うサブ画像表示制御部１４と、してコンピューターを機能させる。そのため、上述したように、ユーザーに分析対象となる元素の分析条件を把握させ易くすることができる。
【００８５】
４．  変形例
次に、本実施形態に係る画像表示装置の変形例について説明する。なお、上述した本実施形態に係る画像表示装置の例と異なる点について説明し、同様の点については説明を省略する。
【００８６】
（１）第１変形例
まず、第１変形例について説明する。上述した実施形態では、分析条件情報は定量分析可能な特性Ｘ線の種類の情報であった。これに対して、第１変形例では、分析条件情報は定性分析および定量分析での分析条件の情報である。図８は、タッチパネルディスプレイの表示部３０に表示される選択画面１の一例を示す図である。
【００８７】
図８に示すように、ユーザーが指先ＦＧを元素ボタン２に接触させる操作を行うことで、元素ボタン２が選択され、選択された元素ボタン２に対応する元素の、定性分析および定量分析での分析条件情報がサブ画像４に表示される。
【００８８】
図８に示す例では、ユーザーが指先ＦＧをＦｅの元素ボタン２に接触させる操作を行うことで、Ｆｅの元素ボタン２が選択され、Ｆｅの定性分析および定量分析での分析条件がサブ画像４に表示されている。図示の例では、定性分析および定量分析の分析条件として、「手動定性元素」、「定量固定元素」、「定量除外元素」、「基準ピーク」、「残渣元素」がそれぞれサブ画像４に表示される。
【００８９】
ここで、手動定性元素とは、ユーザーが定性元素として登録した元素である。また、定量固定元素とは、あらかじめ定量値が登録された元素である。例えばユーザーが定量固定元素と表示されたサブ画像４を選択すると、定量値入力画面（図示せず）が表示され、ユーザーが定量値を登録することができる。また、定量除外元素とは、定量分析（定量計算）から除外される元素である。また、基準ピークとは、定量計算の基準ピークとなる元素であることを表している。すなわち、選択された元素が基準ピークである場合、この元素（元素ラインの強度）を１としたときの他の元素の割合を求める定量計算が行われる。残渣元素とは、定量分析（定量計算）に含められずにその他の元素で定量分析が行われた後に、残った分として設定される元素である。
【００９０】
本変形例に係る画像表示装置の処理は、上述した図７に示す画像表示装置１００の処理と、ステップＳ１０４において、サブ画像表示制御部１４が選択された元素ボタン２に対応する元素の分析条件情報（定性分析および定量分析での分析条件情報）を記憶部４０から読み出し、元素ボタン２よりも拡大したサブ画像４として表示部３０に表示させる制御を行う点を除いて同様でありその説明を省略する。
【００９１】
本変形例によれば、ユーザーに分析対象となる元素の定性分析および定量分析での分析条件を把握させ易くすることができる。
【００９２】
（２）第２変形例
次に、第２変形例について説明する。上述した実施形態では、分析条件情報は定量分析可能な特性Ｘ線の種類の情報であった。これに対して、第２変形例では、分析条件情報はマップ分析（ＥＤＳマッピング）において割り当てられた色の情報である。図９は、タッチパネルディスプレイの表示部３０に表示される選択画面１の一例を示す図である。
【００９３】
図９に示すように、ユーザーが指先ＦＧを元素ボタン２に接触させる操作を行うことで、元素ボタン２が選択され、選択された元素ボタン２に対応する元素の、マップ分析において割り当てられた色の情報がサブ画像４に表示される。
【００９４】
図９に示す例では、ユーザーが指先ＦＧをＦｅの元素ボタン２に接触させる操作を行うことでＦｅの元素ボタン２が選択され、Ｆｅに対して、マップ分析において割り当てられた色である「赤」がサブ画像４に表示されている。また、サブ画像４には、さらに、Ｆｅに対して、割り当てることが可能な色である「青」、「黄色」、がサブ画像４に表示されている。
【００９５】
本変形例に係る画像表示装置の処理は、上述した図７に示す画像表示装置１００の処理と、ステップＳ１０４において、サブ画像表示制御部１４が選択された元素ボタン２に対応する元素の分析条件情報（マップ分析において割り当てられた色の情報）を記憶部４０から読み出し、元素ボタン２よりも拡大したサブ画像４として表示部３０に表示させる制御を行う点を除いて同様であり、その説明を省略する。
【００９６】
本変形例によれば、ユーザーにマップ分析において割り当てられた色を把握させ易くすることができる。
【００９７】
（３）第３変形例
次に、第３変形例について説明する。図１０は、第３変形例に係る画像表示装置２００を含む分析システムの機能ブロック図の一例を示す図である。以下、第３変形例に係る画像表示装置２００において、上述した画像表示装置１００の構成部材と同様の機能を有する部材については同一の符号を付し、その説明を省略する。
【００９８】
上述した画像表示装置１００では、図１に示すように、ポインティング手段は、タッチパネル２０であった。これに対して画像表示装置２００では、図１０に示すようにポインティング手段は、マウス２２である。
【００９９】
例えば、図２に示す例では、ユーザーがマウス２２を用いてマウスカーソルを元素ボタン２に重ねることで元素ボタン２が選択され、選択された元素ボタン２に対応する元素の、定量分析に利用可能な特性Ｘ線の種類の情報がサブ画像４に表示される。
【０１００】
例えば、図３に示す例では、ユーザーがマウスカーソルを移動させると、移動させている間はその位置に対応した元素ボタン２が順次選択され、選択された元素ボタン２に対応する元素の、定量分析に利用可能な特性Ｘ線の種類の情報が、サブ画像４に順次表示される。
【０１０１】
なお、ポインティング手段がマウス２２の場合、図４および図５に示す操作ボタン６は表示されず、マウス２２のホイールを回転させることで、重なって表示されている複数のサブ画像４の重なり順が変わり、手前側（最上面）に表示されていたサブ画像４を他のサブ画像４に切り替えることができる。
【０１０２】
また、サブ画像４が表示されている状態で、ユーザーがマウス２２を用いて選択状態にある元素ボタン２をクリックすることで、当該選択状態にある元素ボタン２に対応する元素と、最も手前側（最上面）のサブ画像４に表示されていた特性Ｘ線（元素ライン）と、が指定される。そして、図６に示す例では、ユーザーがマウス２２を用いて指定済みの元素に対応する元素ボタン２にマウスカーソルを重ねることで、指定された特性Ｘ線（元素ライン）がサブ画像４に表示される。
【０１０３】
画像表示装置２００によれば、上述した画像表示装置１００と同様の作用効果を奏することができる。
【０１０４】
なお、本発明は上述した実施形態に限定されず、本発明の要旨の範囲内で種々の変形実施が可能である。
【０１０５】
例えば、上述した実施形態および変形例では、画像表示装置１００，２００と分析装置１０１とが分析システム１０００を構成している例について説明したが、本発明に係る画像表示装置は、分析装置とともにシステムを構成しなくてもよい。例えば、本発明に係る画像表示装置は、情報記憶媒体やネットワークを介して、ＥＤＳやＷＤＳ等の測定結果の
データを取得して、上述した処理を行ってもよい。
【０１０６】
なお、上述した実施形態及び変形例は一例であって、これらに限定されるわけではない。例えば実施形態及び各変形例は、適宜組み合わせることが可能である。
【０１０７】
本発明は、実施の形態で説明した構成と実質的に同一の構成（例えば、機能、方法および結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【０１０８】
１…選択画面、１Ａ…選択画面、２…元素ボタン、２Ａ…元素ボタン、４…サブ画像、６…操作ボタン、１０…処理部、１２…選択画面表示制御部、１４…サブ画像表示制御部、１６…分析条件登録部、１８…分析結果表示制御部、２０…タッチパネル、２２…マウス、３０…表示部、４０…記憶部、５０…情報記憶媒体、１００…画像表示装置、１０１…分析装置、２００…画像表示装置、１０００…分析システム
【図１】
0006533668.tif 000002
【図２】
0006533668.tif 000003
【図３】
0006533668.tif 000004
【図４】
0006533668.tif 000005
【図５】
0006533668.tif 000006
【図６】
0006533668.tif 000007
【図７】
0006533668.tif 000008
【図８】
0006533668.tif 000009
【図９】
0006533668.tif 000010
【図１０】
0006533668.tif 000011
【図１１】
0006533668.tif 000012
【図１２】
0006533668.tif 000013